(57)【要約】      （修正有）【課題】すぐに本体から熱を放出し、光源の耐用年数を引き延ばし、息苦しさなどの不快感を減らし、熱を部屋内に均一に分布させるシーリングファンライトを提供する。【解決手段】シーリングファンライトは側壁に第１吹出口３が設けられ、底部に下向きの第２吹出口４が設けられ、内部に第１吹出口３及び第２吹出口４に連通する風路１１１、１１２が設けられる本体１と、本体１の下部に設けられる光源アセンブリ２１、２２と、風路１１１、１１２の内部に設けられ、空気が風路１１１、１１２内で第１吹出口３から第２吹出口４に流動し又は第２吹出口４から第１吹出口３に流動するように駆動するための風車５１、５２と、動力出力端は風車５１、５２に接続され、風車５１、５２の回転を駆動するための動力機構とを含む。シーリングファンライトは、動力機構が風車５１、５２の回転を駆動し、空気が風路１１１、１１２内に流動することで、室内空気の流動を促す。【選択図】図３
0003231115.tif 000002
【実用新案登録請求の範囲】
【請求項１】
上部は付着物に接続され、側壁に第１吹出口が設けられ、底部に下向きの第２吹出口が設けられ、内部に前記第１吹出口及び前記第２吹出口にそれぞれ連通する風路が設けられる本体と、
前記本体の下部に設けられる光源アセンブリと、
前記風路の内部に設けられ、空気が前記風路内で前記第１吹出口から前記第２吹出口に流動し又は前記第２吹出口から前記第１吹出口に流動するように駆動するための風車と、
動力出力端は前記風車に接続され、前記風車の回転を駆動するための動力機構とを含むことを特徴とするシーリングファンライト。
【請求項２】
前記光源アセンブリの放熱端は前記風路内に位置し、前記本体は平板構造であり、前記第２吹出口は前記本体の底部の中央に位置し、前記動力機構は前記風路内に設けられることを特徴とする請求項１に記載のシーリングファンライト。
【請求項３】
前記光源アセンブリは間隔を開けて設けられた第１光源及び第２光源を含み、前記第２吹出口は前記第１光源と前記第２光源との間に設けられることを特徴とする請求項１に記載のシーリングファンライト。
【請求項４】
前記風路内にセパレータが設けられ、前記セパレータは前記風路を第１風路及び第２風路に分割し、且つ前記第２吹出口を２つに分割し、前記本体の対向する両側の側壁にいずれも前記第１吹出口が設けられ、前記第１風路及び前記第２風路の両端はそれぞれ同じ側に位置する第１吹出口及び第２吹出口に連通し、前記風車は前記第１風路内に設けられる第１風車と、前記第２風路内に設けられる第２風車とを含むことを特徴とする請求項１に記載のシーリングファンライト。
【請求項５】
前記第１風車及び前記第２風車はいずれも前記第２吹出口に設けられ、且つ前記セパレータの両側に対称に設けられることを特徴とする請求項４に記載のシーリングファンライト。
【請求項６】
前記第１風路内には前記第１風車に第１導風板が設けられ、前記第２風路内には前記第２風車に第２導風板が設けられることを特徴とする請求項５に記載のシーリングファンライト。
【請求項７】
前記第１導風板は前記第１風車と同心になる第１弧形板を含み、前記第１弧形板の内壁と前記第１風車との間にギャップが設けられ、前記第２導風板は前記第２風車と同心になる第２弧形板を含み、前記第２弧形板の内壁と前記第２風車との間にギャップが設けられることを特徴とする請求項６に記載のシーリングファンライト。
【請求項８】
前記第１吹出口に第１ガードグリッドが設けられ、前記第２吹出口に第２ガードグリッドが設けられることを特徴とする請求項１に記載のシーリングファンライト。
【請求項９】
前記第１吹出口に第１フィルタアセンブリが設けられ、前記第２吹出口に第２フィルタアセンブリが設けられることを特徴とする請求項１に記載のシーリングファンライト。
【請求項１０】
前記風車の両端にいずれも軸受が設けられ、前記軸受の外輪は前記本体に固定して接続され、内輪は前記風車に固定して接続されることを特徴とする請求項１〜９のいずれか１項に記載のシーリングファンライト。
【考案の詳細な説明】
【技術分野】
【０００１】
本考案は、スマート家電の技術分野に属し、より詳しく言えば、シーリングファンライトに関する。
【背景技術】
【０００２】
シーリングライトは、ベッドルームやリビングルームによく使用される１種の照明器具である。従来のシーリングライトでは底部がシーリングに密着しており、前部がアクリル樹脂、紙などの材料で作られたケーシングである。このような構造設計が閉鎖された空間となっているため、光源が発光する時は大量の熱が生成される。一般に、シーリングライトでは底部のパネルの金属から一部の熱を空気に伝達することで、自然に放熱する。
【０００３】
リビングルーム、ベッドルームはいずれも室内空気が流動せず、閉鎖された空間であるため、シーリングライトがすぐに放熱できず、熱のほとんどがシーリングライトの内部空間に止まると、射出光の減衰が激しくなり、結果的に照明効果が悪くなる。室内空気が流動しないから息苦しくも感じられる。特に、北方の冬には、暖房を使用する間は窓を閉めているため、室内では暖房が生じた熱が均一に分布せず、快適に利用できない。
【考案の概要】
【考案が解決しようとする課題】
【０００４】
本考案は、従来技術では室内空気が流動しない場合に、シーリングライトがすぐに放熱できないという問題を解決するために、シーリングファンライトを提供することを目的とする。
【課題を解決するための手段】
【０００５】
上記の目的を達成するための本考案の技術的解決手段は次のとおりである。
上部は付着物に接続され、側壁に第１吹出口が設けられ、底部に下向きの第２吹出口が設けられ、内部に前記第１吹出口及び前記第２吹出口にそれぞれ連通する風路が設けられる本体と、前記本体の下部に設けられる光源アセンブリと、前記風路の内部に設けられ、空気が前記風路内で前記第１吹出口から前記第２吹出口に流動し又は前記第２吹出口から前記第１吹出口に流動するように駆動するための風車と、動力出力端は前記風車に接続され、前記風車の回転を駆動するための動力機構とを含むシーリングファンライトを提供する。
【０００６】
本願の一実施例では、前記光源アセンブリの放熱端は前記風路内に位置し、前記本体は平板構造であり、前記第２吹出口は前記本体の底部の中央に位置し、前記動力機構は前記風路内に設けられる。
【０００７】
本願の一実施例では、前記光源アセンブリは間隔を開けて設けられた第１光源及び第２光源を含み、前記第２吹出口は前記第１光源と前記第２光源との間に設けられる。
【０００８】
本願の一実施例では、前記風路内にセパレータが設けられ、前記セパレータは前記風路を第１風路及び第２風路に分割し、且つ前記第２吹出口を２つに分割し、前記本体の対向する両側の側壁にいずれも前記第１吹出口が設けられ、前記第１風路及び前記第２風路の両端はそれぞれ同じ側に位置する第１吹出口及び第２吹出口に連通し、前記風車は前記第１風路内に設けられる第１風車と、前記第２風路内に設けられる第２風車とを含む。
【０００９】
本願の一実施例では、前記第１風車及び前記第２風車はいずれも前記第２吹出口に設けられ、且つ前記セパレータの両側に対称に設けられる。
【００１０】
本願の一実施例では、前記第１風路内には前記第１風車に第１導風板が設けられ、前記第２風路内には前記第２風車に第２導風板が設けられる。
【００１１】
本願の一実施例では、前記第１導風板は前記第１風車と同心になる第１弧形板を含み、前記第１弧形板の内壁と前記第１風車との間にギャップが設けられ、前記第２導風板は前記第２風車と同心になる第２弧形板を含み、前記第２弧形板の内壁と前記第２風車との間にギャップが設けられる。
【００１２】
本願の一実施例では、前記第１吹出口に第１ガードグリッドが設けられ、前記第２吹出口に第２ガードグリッドが設けられる。
【００１３】
本願の一実施例では、前記第１吹出口に第１フィルタアセンブリが設けられ、前記第２吹出口に第２フィルタアセンブリが設けられる。
【００１４】
本願の一実施例では、前記風車の両端にいずれも軸受が設けられ、前記軸受の外輪は前記本体に固定して接続され、内輪は前記風車に固定して接続される。
【考案の効果】
【００１５】
本考案のシーリングファンライトの有益な効果は次のとおりである。
従来技術と比べて、本考案のシーリングファンライトは、本体の内部に風路及び風車が設けられ、風路が本体の側壁の第１吹出口及び本体の底部の第２吹出口に連通し、動力機構が風車の回転を駆動し、空気が風路内に流動することで、すぐに本体から熱を放出し、射出光の減衰を緩和し、光源アセンブリの耐用年数を引き延ばす。
風車が室内空気の流動を促して、息苦しさなどの不快感を減らす。北方の冬に暖房を用いる時には、風車が室内空気の流動を促すことで、熱が部屋内に均一に分布する。
【図面の簡単な説明】
【００１６】
次に、本考案の実施例に係る技術的解決手段を一層明瞭に説明するために、従来技術又は実施例の説明に用いる図面を簡単に説明する。なお、次の説明に係る図面は本考案のいくつかの実施例を示すものに過ぎず、当業者が新規性のある作業をすることなく、これらの図面から他の図面を得ることができる。
【図１】図１は本考案の実施例に係るシーリングファンライトの立体構造図である。
【図２】図２は本考案の実施例に係るシーリングファンライトの分解構造図である。
【図３】図３は本考案の実施例に係るシーリングファンライトの二等分断面図である。
【図４】図４は風車の構造模式図である。
【考案を実施するための形態】
【００１７】
次に、本考案が解決しようとする課題、技術的解決手段及び有益な効果が一層明瞭になるよう、実施例及び図面を参照して、本考案の一層詳細な説明を行う。なお、ここで説明するいくつかの実施例は本考案の限定にならず、その説明のためのものに過ぎない。
【００１８】
図１から図３を参照して、本考案のシーリングファンライトを説明する。シーリングファンライトの本体１の上部はシーリング等の附着物の表面に密着され、視覚的には附着物の表面に「吸着」されるように見えるため、シーリングライトと呼ばれる。本体１の下部に光源アセンブリ２が設けられ、光源アセンブリ２の射出光のカバーする範囲は最大に確保される。本体１の内部に風路１１が設けられ、風路１１は中空のチャンバーであり、本体１の側壁に第１吹出口３が設けられ、本体１の底部に下向きの第２吹出口４が設けられ、風路１１の両端はそれぞれ第１吹出口３及び第２吹出口４に連通し、つまり、風路１１が本体１の底部と側壁を連通する。風路１１の内部に風車５が設けられ、風車５に動力機構１２が接続され、動力機構１２がオンなると風車５の回転を駆動し、空気が風路１１内に流動するように駆動し、室内空気の流動を促す。
【００１９】
従来技術と比べて、本考案のシーリングファンライトは、本体１の内部に風路１１及び風車５が設けられ、風路１１が本体１の側壁の第１吹出口３及び本体１の底部の第２吹出口４に連通し、動力機構１２が風車５の回転を駆動し、空気が風路１１内に流動することで、すぐに本体１から熱を放出し、射出光の減衰を緩和し、光源アセンブリ２の耐用年数を引き延ばす。
風車５が室内空気の流動を促して、息苦しさなどの不快感を減らす。北方の冬に暖房を用いる時には、風車５が室内空気の流動を促すことで、熱が部屋内に均一に分布する。
【００２０】
動力機構１２には両方向回転モーターを選ぶ。モーターは正転又は逆転することができ、モーターが正転する時には、風車５の正転を駆動し、風車５が風路１１内の空気の流動を駆動して、気流を形成させる。この場合には、第２吹出口４は吹出口であり、第１吹出口３は吸込口である。モーターが逆転する時には、風車５の逆転を駆動する。この場合には、第２吹出口４は吸込口であり、第１吹出口３は吹出口である。
【００２１】
夏に使用する場合には、モーターを制御して正転させると、気流が第２吹出口４から下向きに吹き出され、室内空気の循環を加速する。エアコンが動作中の部屋で冷空気の循環を速め、冷房効果を高めるためにも利用できる。エネルギーと電気を節約できる。
冬に暖房が動作する場合には、モーターを制御して逆転させると、気流が第１吹出口３から吹き出され、冷空気の上昇と温暖空気の下降を加速することで空気が循環され、室内に熱が均一に分布する。
風車５が正転するにしても逆転するにしても、風路１１内に気流を形成させ、光源アセンブリ２の放熱により本体１の内部に集まる熱を本体１から持ち出して、光源アセンブリ２を冷却することができる。
【００２２】
本考案のシーリングファンライトの一実施形態では、光源アセンブリ２の放熱端は風路１１内に位置し、風路１１内に吹き通す気流が、光源アセンブリ２の生じた熱を持ち出し、速く放熱させる。具体的には、本体１は平板構造であり、本体１の上面は附着物の表面に接続され、底面は光源アセンブリ２の発光面であり、第２吹出口４は本体１の底部の中央に位置し、第１吹出口３が本体１の側壁に位置するため、風路１１が光源アセンブリ２に対してカバーする範囲が広く、速く放熱できる。動力機構１２も風路１１内に設けられ、風路１１内の気流は動力機構１２を放熱させる。
【００２３】
本実施例では、光源アセンブリ２はＬＥＤ発光板として設けられ、ＬＥＤ発光板の回路基板が風路１１の底壁になり、上壁及び２つ側壁とともに長方形の風路１１を形成し、気流がＬＥＤ発光板の背面を吹き通すと、ＬＥＤ発光板の冷却を加速する。
【００２４】
本考案の実施例の一実施形態では、図１から図３が参照されるとおり、光源アセンブリ２は第１光源２１と、第２光源２２とを含み、第１光源２１及び第２光源２２は本体１の底部に並列して設けられ、本体１の底面とされ、且つ第１光源２１と第２光源２２との間に間隔が設けられ、第２吹出口は第１光源２１と第２光源２２との間の間隔に設けられ、視覚的には対称に見えるため、美観性が向上している。
【００２５】
本考案の実施例の一実施形態では、図１から図３が参照されるとおり、風路１１は第１風路１１１と、第２風路１１２とを含み、本体１の側壁の第１吹出口３も２つ設けられ、且つ２つの第１吹出口３が本体１の対向する２つの側壁に設けられ、第１風路１１１及び第２風路１１２の一端はそれぞれ一方の第１吹出口３に連通し、第１風路１１１及び第２風路１１２の他端はいずれも本体１の底部の第２吹出口４に連通する。第１風路１１１と第２風路１１２を分割するために、第２吹出口４にセパレータ６が設けられる。
【００２６】
２つの風路１１内にいずれも風車５が設けられ、第１風路１１１内の風車５は第１風車５１であり、第２風路１１２内の風車５は第２風車５２であり、第１風車５１及び第２風車５２はいずれも第２吹出口４に設けられ、且つセパレータ６の両側に対称に設けられ、第１風車５１及び第２風車５２はそれぞれ第１風路１１１及び第２風路１１２内の気流を駆動する。
【００２７】
第１吹出口３は本体１の側壁に設けられ、第２吹出口４は本体１の底部に設けられ、気流が風路１１内に流動する時は方向が９０°曲がり、曲がる時には乱流が生じやすく、気流の安定性に影響があり、空気の流動速度にも影響がある。本考案の実施例の一実施形態では、図３が参照されるとおり、第１風路１１１内に第１導風板７が設けられ、第１導風板７は第１風路１１１のコーナー部に、且つ、第１風車５１を取り囲むように設けられ、第２風路１１２内に第２導風板８が設けられ、第２導風板８は第２風路１１２のコーナー部に、且つ、第２風車５２を取り囲むように設けられる。第１風路１１１及び第２風路１１２のコーナー部で気流が第１導風板７及び第２導風板８によってガイドされながら、安定的に流動する。
【００２８】
本考案の実施例の一実施形態では、図３が参照されるとおり、第１導風板７は第１風車５１と同心になる第１弧形板として設けられ、第１弧形板の内壁と第１風車５１の外縁との間には空気が流れるために間隔が設けられ、第２導風板８は第２風車５２と同心になる第２弧形板として設けられ、第２弧形板の内壁と第２風車５２との間には空気流動が流れるために間隔が設けられる。
【００２９】
本考案の実施例の一実施形態では、図１から図３が参照されるとおり、第１吹出口３に第１ガードグリッド９が設けられ、第２吹出口４に第２ガードグリッド１０が設けられ、昆虫等の異物が第１吹出口３及び第２吹出口４から本体１の内部に入ること、使用者が不注意で手を風路１１内に入れて、回転中の風車５に傷つけられることを防ぐための保護構造として機能する。第１ガードグリッド９及び第２ガードグリッド１０には、本体１を装飾するために、色やスタイルを設定することができる。
【００３０】
本考案の実施例の一実施形態では、第１吹出口３には第１フィルタアセンブリとして第１フィルタネットが設けられ、第２吹出口４には第２フィルタアセンブリとして第２フィルタネットが設けられ、第１フィルタネット及び第２フィルタネットは塵埃を引き止め、塵埃が本体１内に入って汚染を起こすのを防ぐことができ、本体１の洗浄回数の減少にもつながる。
【００３１】
第１フィルタネット及び第２フィルタネットはいずれも本体１に対して取り外し可能であるため、フィルタネットの定期的な取り替えには役立つ。
【００３２】
本考案の実施例の一実施形態では、図４が参照されるとおり、風車５の両端に軸受１３が設けられ、軸受１３の外輪は本体１に固定して接続され、軸受１３の内輪は風車５の端部に固定して接続され、軸受１３は風車５の回転中の抵抗や、ノイズ、振動を減らして滑らかに動作させるように機能する。
【００３３】
本考案の実施例の一実施形態では、本体１の底部にシェードが設けられ、シェードの素材には透明の又は特定の色の光透過性アクリル樹脂が使用され、光源アセンブリ２を保護するためにシェードの内部に設置し、シェードの表面に装飾用の模様が設けられてもよい。
【００３４】
上述した内容が本考案の限定にならず、その好ましい実施例に過ぎない。本考案の趣旨を超えることなくなされた変更や、同等な差し替え、改良等は、いずれも本考案の保護範囲に含まれる。
【符号の説明】
【００３５】
１...本体、２...光源アセンブリ、２１...第１光源、２２...第２光源、３...第１吹出口、４...第２吹出口、５...風車、５１...第１風車、５２...第２風車、６...セパレータ、７...第１導風板、８...第２導風板、９...第１ガードグリッド、１０...第２ガードグリッド、１１...風路、１１１...第１風路、１１２...第２風路、１２...動力機構、１３...軸受。
【図１】
0003231115.tif 000003
【図２】
0003231115.tif 000004
【図３】
0003231115.tif 000005
【図４】
0003231115.tif 000006